(57)【要約】      （修正有）【課題】バッテリーセル間のバランスを調整する回路が必要なく、動作電源として単一のセルの低いバッテリー電源を使用して軽量で体積が小さい、移動性が向上したＸ線撮影装置の電源供給装置を提供する。【解決手段】本発明は、電源供給装置に関するものであって、より具体的には、単一のセルバッテリーと多数のコンデンサーセルからなるコンデンサー部を直列に接続してコンデンサー部を単一のセルバッテリーを介して充電し、コンデンサー部４２に配置された各コンデンサーセルの充電時にのみ各コンデンサーセルにあたる各バランス回路をオン制御し、各コンデンサーセルのバランシングが完了された場合は、バランス回路をオープン（Ｏｐｅｎ）させて各コンデンサーセルに充電された電源の消耗を最小化させたＸ線撮影装置用の電源供給装置に関する。【選択図】図４
2020004721.tif 000002
【特許請求の範囲】
【請求項１】
１つのセルを備え、前記１つのセルを用いて充電し、充電された電源を出力する単一のセルバッテリーと、
前記単一のセルバッテリーと直列接続され、複数のコンデンサーセルを含み、前記複数のコンデンサーセルに電源が充電されるコンデンサー部と、
前記コンデンサー部の複数のコンデンサーセルのそれぞれに対応する複数のバランス回路を含み、前記コンデンサー部の充電中に過充電されたコンデンサーセルに相応するバランス回路がオン（Ｏｎ）になると、前記過充電されたコンデンサーセルのエネルギーが消耗されて前記コンデンサー部のコンデンサーセルのバランシングが行われるコンデンサーバランス部と、
前記コンデンサー部の充電中に前記コンデンサー部の各コンデンサーセルの電圧を検出するセル電圧センシング部と、
前記セル電圧センシング部を介して前記コンデンサーセルの過充電または未充電が検出されると、前記過充電または未充電のコンデンサーセルに相応するバランス回路をオン／オフ（Ｏｎ／Ｏｆｆ）制御して前記過充電されたコンデンサーセルのバランシングを制御する充電制御部と、を含む携帯型のＸ線撮影装置の電源供給装置。
【請求項２】
前記充電制御部は、前記単一のセルバッテリーを充電するとき、前記コンデンサー部をともに充電する請求項１に記載の携帯型のＸ線撮影装置の電源供給装置。
【請求項３】
前記充電制御部は、前記コンデンサー部の充電を完了すると、前記バランス回路をオープン（Ｏｐｅｎ）して前記バランス回路に消耗される電流を遮断することにより、前記コンデンサーセルの放電を最小化する請求項２に記載の携帯型のＸ線撮影装置の電源供給装置。
【請求項４】
前記バランス回路は、前記過充電されたコンデンサーセルのエネルギーを消耗する抵抗と、前記過充電されたコンデンサーセルのエネルギー消耗のために前記抵抗との接続をオン／オフ（Ｏｎ／Ｏｆｆ）するスイッチング素子を含む請求項１に記載の携帯型のＸ線撮影装置の電源供給装置。
【請求項５】
前記単一のセルバッテリーは、ＵＳＢ充電器、無線充電器、携帯電話の補助バッテリー、常用電源のうち、いずれか１つによって充電される請求項１に記載の携帯型のＸ線撮影装置の電源供給装置。
【請求項６】
電源供給装置と、
前記電源供給装置の電源を用いて高電圧の直流電源を生成する高電圧生成部と、
前記生成された高電圧の直流電源を用いてＸ線を発生するＸ線発生部と、を含み、
前記電源供給装置は、
１つのセルを備え、前記１つのセルを用いて充電し、充電された電源を出力する単一のセルバッテリーと、
前記単一のセルバッテリーと直列接続され、複数のコンデンサーセルを含むコンデンサー部と、
前記コンデンサー部の複数のコンデンサーセルのそれぞれに対応する複数のバランス回路と、を含み、
前記バランス回路は、スイッチング素子および抵抗を備え、前記コンデンサー部の充電中に過充電されたコンデンサーセルに対して前記スイッチング素子がオン（Ｏｎ）になると、前記抵抗を介して前記過充電されたコンデンサーセルのエネルギーが消耗されて前記コンデンサー部のバランシングが行われるコンデンサーバランス部と、
前記コンデンサー部の充電中に前記コンデンサー部の各コンデンサーセルの電圧を検出する電圧センシング部と、
前記セル電圧センシング部を介して前記コンデンサーセルの過充電が検出されると、前記コンデンサーバランス部に相応するバランス回路のスイッチング素子をオン／オフ（Ｏｎ／Ｏｆｆ）制御して前記過充電されたコンデンサーセルのバランシングを制御する充電制御部と、を含む、携帯型のＸ線撮影装置。
【請求項７】
前記充電制御部は、前記コンデンサー部の充電を完了すると、前記バランス回路をオープンして前記バランス回路に消耗される電流を遮断することにより、前記コンデンサーセルの放電を最小化する請求項６に記載の携帯型のＸ線撮影装置。
【発明の詳細な説明】
【技術分野】
【０００１】
本発明は、電源供給装置に関するものであって、より具体的には、単一のセルバッテリーと多数のコンデンサーセルからなるコンデンサー部を直列に接続して単一のセルバッテリーを介してコンデンサー部を充電し、コンデンサー部４２に配置された各コンデンサーセルの充電時にのみ各コンデンサーセルにあたる各バランス回路をオン制御し、各コンデンサーセルのバランシングが完了された場合は、バランス回路をオープン（Ｏｐｅｎ）させて各コンデンサーセルに充電された電源の消耗を最小化させたＸ線撮影装置用の電源供給装置に関する。
【背景技術】
【０００２】
Ｘ線撮影装置は、カソードとアノードとの間の熱電子の衝突によって発生するＸ線を患者や動物の身体に通過させ、患者や動物を透過したＸ線をフィルムまたはデジタルイメージパネルに現像して患者や動物の健康状態を診断する装備である。Ｘ線撮影装置は、患者や動物に苦痛を与えることなく、患者や動物の骨折状態や内部臓器の異常有無を手軽に診断するための装置として広く使用される。最近は、使いやすいながらも正確に患者や動物のＸ線イメージを撮影するための様々なＸ線撮影装置が開発されている。特に、移動型のＸ線撮影装置は、移動可能に製作されて必要な場所で直接患者や動物のＸ線イメージを容易に撮影し、患者や動物の健康状態をすぐに診断できる。
【０００３】
図１は、常用電源を使用する従来の移動型のＸ線撮影装置の機能ブロック図を示す。
【０００４】
図１を参照すると、従来の移動型のＸ線撮影装置１は、入力された常用交流電源を直流電源に変換させる交流−直流変換部２と、高速スイッチングによって変換された直流電源を２０ＫＨｚないし３００ＫＨｚの高周波の交流電源に変換する直流−交流変換部３と、変換された高周波の交流電源を高電圧の交流電源に昇圧させる高電圧トランスフォーマー４と、昇圧された高電圧の交流電源を再び高電圧の直流電源に変換させてＸ線チューブ６に印加する交流−直流変換部５と、を含む。Ｘ線チューブ６は、真空ガラス管内に設置された陰極フィラメントと陰極フィラメントに対向して離隔配置された陽極のアノードを備えるが、陰極フィラメントに電流を印加時に陰極フィラメントでは、加熱された熱電子が発生する。加熱された熱電子は、陽極のアノードに交流−直流変換部５から印加された電位差で加速されて衝突され、この過程でＸ−線が発生することになる。
【０００５】
センサー部７は、Ｘ線チューブ６に印加される電圧の大きさとＸ線チューブ６のフィラメントに流れる電流の大きさをセンシングして電圧制御部８と電流制御部９にそれぞれ提供する。センシングされた電圧の大きさに基づいて、電圧制御部８は、電圧の大きさを制御するためにパルス信号を生成し、生成したパルス信号に基づいて、直流−交流変換部３のスイッチングのオン／オフの周期を調節し、直流−交流変換部３で直流電源から変換されて生成される交流電源の周波数を制御する。また、電流制御部９は、センサー部７でセンシングされた電流の大きさに基づいて、フィラメントトランスフォーマー１０から出力される電流の大きさを制御し、究極的にＸ線チューブ６に流れる電流の大きさを制御する。
【０００６】
図２は、バッテリーを電源として使用する従来の移動型のＸ線撮影装置２０の機能ブロック図を示す。
【０００７】
図２を参照すると、多数のバッテリーが直列に接続され、高い電圧の直流電源を直流−交流変換部２２に印加するバッテリー部２１と、高速スイッチングによってバッテリー部２１から印加される直流電源を２０ＫＨｚないし３００ＫＨｚの高周波の交流電源に変換する直流−交流変換部２２と、変換された高周波の交流電源を高圧の交流電源に昇圧させる高電圧トランスフォーマー２３と、昇圧された高電圧の交流電源を再び直流電源に変換させてＸ線チューブ２５に印加する交流−直流変換部２４と、交流−直流変換部２４から印加される高電圧の直流電源を用いてＸ線を発生するＸ線チューブ２５と、を含む。
【０００８】
センサー部２６、電圧制御部２７、電流制御部２８およびフィラメントトランスフォーマー２９は、図１で説明したセンサー部７、電圧制御部８、電流制御部９およびフィラメントトランスフォーマー１０と同じように動作してＸ線チューブ２５に印加される直流電圧とフィラメントに印加される電流の大きさを制御する。
【０００９】
図１に示される常用電源を用いる従来の移動型のＸ線撮影装置１は、Ｘ線撮影装置１の動作電源として常用電源を用いるため、必ず常用電源を利用できる場所でのみ使用できるか、または長い電源ケーブルを介して移動型のＸ線撮影装置を使用する場所まで常用電源を引っぱって移動型のＸ線撮影装置１に常用電源を印加しなければならないという不便さがある。
【００１０】
図２に示されるように、バッテリーを用いる従来の移動型のＸ線撮影装置２０は、バッテリーのみを用いて高い電圧の直流電源を生成し、したがって、多数のバッテリーを直列に接続して使用しなければならない。
【００１１】
したがって、従来のバッテリーを用いる移動型のＸ線撮影装置は、体積と重さがかなりあるため、使用者が実際の移動型のＸ線撮影装置２０を手軽に移動するときに使用することに不便さがあった。
【００１２】
図３は、多数のバッテリーセル３１２、３１４、３１６で構成されるバッテリー部３１０と１つ以上のコンデンサー３３０を直列に接続し、バッテリー部３１０でコンデンサー３３０を充電して電源を供給する従来の移動型のＸ線撮影装置の構成をブロック図として示したものである。
【００１３】
電源供給装置３０によって供給される電源を用いて高電圧発生部３２を介して高電圧が生成され、高電圧を用いてＸ線チューブ３４は、Ｘ線を発生する。図３に示されるように、バッテリー部３１０は、複数のバッテリーセル３１２、３１４、３１６を備えるため、バッテリーセル間のバランスを調整するバッテリーセルのバランス回路３２０が必要である。そして、複数のバッテリーを使用するため、１つのバッテリーセルのみ故障しても、バッテリー全体を使用できないので、バッテリーの寿命が短い。また、バッテリーの重さが重くて携帯に不便であり、常用電源を用いてバッテリーを充電するため、自動車用の充電器またはＵＳＢ充電などの低電圧で手軽に充電するには、困難な不便さがある。
【００１４】
また、図３に説明された従来の移動型のＸ線撮影装置において、複数のコンデンサーを使用する場合は、多数のコンデンサーのバランスのためのコンデンサーバランス回路が追加で必要であり、コンデンサーバランス回路で消耗される電力によってコンデンサーに一度充電した電源は、当該の移動型のＸ線撮影装置を使用しなくても、時間が経てば自動的に消耗されてバッテリーの使用時間を減少させる問題点を有する。
【発明の概要】
【発明が解決しようとする課題】
【００１５】
本発明が解決しようとする課題は、前述した従来のＸ線撮影装置の電源供給部の不便さを解決するために創出されたものであって、バッテリーセル間のバランスを調整する回路が必要なく、動作電源として単一のセルの低いバッテリー電源を使用して軽量で体積が小さい、移動性が向上したＸ線撮影装置の電源供給装置を提供するものである。
【００１６】
本発明が解決しようとする他の課題は、コンデンサー部の充電の電圧を感知してコンデンサー部のバランシングを完了した場合、各コンデンサーセルに相応する各コンデンサーバランス回路をオフ制御することにより、各コンデンサーセルに充電された電源がコンデンサーバランス回路によって消耗されないようにして長い待機が可能であり、長い待機後にも、コンデンサー部の非常に少ない放電によってＸ線を発生するのに必要な定格電力を迅速に供給できるＸ線撮影装置の電源供給装置を提供するものである。
【００１７】
本発明が解決しようとするまた他の課題は、常用電源だけでなく、自動車用の充電器または太陽電池などの低い電圧でもバッテリーを充電して使用できるＸ線撮影装置の電源供給装置を提供するものである。
【００１８】
本発明が解決しようとする他の課題は、バッテリーセル間のバランスを調整する回路が必要なく、動作電源として低いバッテリー電源を使用して軽量で体積が小さく、移動性が向上した携帯型のＸ線撮影装置を提供するものである。
【課題を解決するための手段】
【００１９】
前記技術的課題を達成するための本発明によるＸ線撮影装置の電源供給装置は、１つのセルを備え、前記１つのセルを用いて充電し、充電された電源を出力する単一のセルバッテリーと、前記単一のセルバッテリーと直列接続され、複数のコンデンサーセルを含み、前記複数のコンデンサーセルに電源が充電されるコンデンサー部と、前記コンデンサー部の複数のコンデンサーセルのそれぞれに対応する複数のバランス回路を含み、前記コンデンサー部の充電中に過充電されたコンデンサーセルに相応するバランス回路がオン（Ｏｎ）になると、前記過充電されたコンデンサーセルのエネルギーが消耗されて前記コンデンサー部のコンデンサーセルのバランシングが行われるコンデンサーバランス部と、前記コンデンサー部の充電中に前記コンデンサー部の各コンデンサーセルの電圧を検出するセル電圧センシング部と、前記セル電圧センシング部を介して前記コンデンサーセルの過充電または未充電が検出されると、前記過充電または未充電のコンデンサーセルに相応するバランス回路をオン／オフ（Ｏｎ／Ｏｆｆ）制御して前記過充電されたコンデンサーセルのバランシングを制御する充電制御部と、を含む。
【００２０】
前記充電制御部は、前記単一のセルバッテリーを充電するとき、前記コンデンサー部をともに充電する。また前記充電制御部は、前記コンデンサー部の充電を完了すると、前記バランス回路をオープン（Ｏｐｅｎ）して前記バランス回路に消耗される電流を遮断することにより、前記コンデンサーセルの放電を最小化する。
【００２１】
前記バランス回路は、前記過充電されたコンデンサーセルのエネルギーを消耗する抵抗と、前記過充電されたコンデンサーセルのエネルギー消耗のために前記抵抗との接続をオン／オフ（Ｏｎ／Ｏｆｆ）するスイッチング素子を含む。前記単一のセルバッテリーは、ＵＳＢ充電器、無線充電器、携帯電話の補助バッテリー、常用電源のうち、いずれか１つによって充電され得る。
【００２２】
前記他の技術的課題を達成するための本発明による携帯型のＸ線撮影装置は、電源供給装置と、前記電源供給装置の電源を用いて高電圧の直流電源を生成する高電圧生成部と、前記生成された高電圧の直流電源を用いてＸ線を発生するＸ線発生部と、を含み、前記電源供給装置は、１つのセルを備え、前記１つのセルを用いて充電し、充電された電源を出力する単一のセルバッテリーと、前記単一のセルバッテリーと直列接続され、複数のコンデンサーセルを含むコンデンサー部と、前記コンデンサー部の複数のコンデンサーセルのそれぞれに対応する複数のバランス回路と、を含み、前記セルバランス回路は、スイッチング素子および抵抗を備え、前記コンデンサー部の充電中に過充電されたコンデンサーセルに対して前記スイッチング素子がオン（Ｏｎ）になると、前記抵抗を介して前記過充電されたコンデンサーセルのエネルギーが消耗されて前記コンデンサー部のバランシングが行われるコンデンサーバランス部と、前記コンデンサー部の充電中に前記コンデンサー部の各コンデンサーセルの電圧を検出する電圧センシング部と、前記電圧センシング部を介して前記コンデンサーセルの過充電が検出されると、前記コンデンサーバランス部のスイッチング素子をオン／オフ（Ｏｎ／Ｏｆｆ）制御して前記過充電されたコンデンサーセルのバランシングを制御する充電制御部と、を含む。
【００２３】
前記高電圧生成部は、直列接続された前記単一のセルバッテリーと前記コンデンサー部の直流電源を受け入れて前記高電圧の直流電源を生成する。
【発明の効果】
【００２４】
本発明によるＸ線撮影装置の電源供給装置および携帯型のＸ線撮影装置によると、バッテリーに１つのセルのみ使用し、低い用量のバッテリー電源を用いることにより、バッテリーの重量が軽くなって携帯型のＸ線装置を画期的に軽くすることができ、体積が小さいＸ線撮影装置を製作でき、使用者は、Ｘ線撮影装置を容易に携帯して使用できる。
【００２５】
そして、本発明によるＸ線撮影装置の電源供給装置によると、１つのセルのみ使用するバッテリー電源と複数のコンデンサー電源を直列に接続してＸ線撮影装置に電源を供給することにより、低いバッテリー電源でもＸ線撮影装置の高い動作電源を生成できる。
【００２６】
また、本発明によるＸ線撮影装置の電源供給装置によると、コンデンサー部の充電の電圧を感知してコンデンサー部のバランシングを完了した場合は、各コンデンサーセルに相応する各コンデンサーバランス回路をオフ制御することにより、各コンデンサーセルに充電された電源がコンデンサーバランス回路によって消耗されないようにして長い待機が可能であり、長い待機後にも、コンデンサー部の非常に少ない放電によってＸ線を発生するのに必要な定格電力を迅速に供給できる。
【００２７】
また、本発明によるＸ線撮影装置の電源供給装置によると、バッテリーに１つのセルのみ使用することにより、バッテリーセル間のバランス調整回路が必要なく、寿命が長く、バッテリーの保護回路を簡単に具現できる。
【００２８】
また、本発明によるＸ線撮影装置の電源供給装置によると、多数のキャパシターが直列に接続されたコンデンサー部を使用することにより、高い動作電圧が要求される場合、簡単にキャパシターの数のみ増加させて変形製作が容易である。
【００２９】
また、本発明によるＸ線撮影装置の電源供給装置によると、低い用量のバッテリーを使用するため、車両用充電器、太陽電池、無線充電器、携帯電話の補助バッテリー、ＵＳＢ充電端子のような低い電圧でも、バッテリーを充電して使用できる。
【図面の簡単な説明】
【００３０】
【図１】常用電源を使用する従来の移動型のＸ線撮影装置の構成をブロック図として示す。
【図２】バッテリーを電源として使用する従来の移動型のＸ線撮影装置２０の構成をブロック図として示す。
【図３】複数のバッテリーセルで構成されるバッテリーと１つのコンデンサーが直列接続され、バッテリーセル間のバランスのためのバランス回路を備える従来の移動型のＸ線撮影装置の構成をブロック図として示す。
【図４】本発明による携帯型のＸ線発生装置の電源供給装置についての一実施例の構成をブロック図として示す。
【図５】本発明による携帯型のＸ線発生装置の電源供給装置を備える携帯型のＸ線発生装置の一実施例の構成をブロック図として示す。
【図６】本発明による携帯型のＸ線発生装置の電源供給装置のコンデンサーバランス回路についての一具現例の回路図を示す。
【図７】本発明による携帯型のＸ線発生装置の電源供給装置の充電制御部についての一具現例の回路図を示す。
【発明を実施するための形態】
【００３１】
以下、本発明の好ましい実施例を添付された図面を参照して具体的に説明する。まず各図面の構成要素に参照符号を付加することにおいて、同一の構成要素については、たとえ他の図面上に表示されても、できるだけ同一の符号を有するようにしていることに留意すべきである。また、本発明を説明することにおいて、係わる公知の構成または機能についての具体的な説明が本発明の要旨をぼかすことができると判断される場合には、その詳細な説明は省略する。
【００３２】
図４は、本発明によるＸ線撮影装置の電源供給装置および携帯型のＸ線撮影装置の一実施例についての構成をブロック図として示したものである。
【００３３】
本発明の一実施例によるＸ線撮影装置の電源供給装置は、単一のセルバッテリー４１、コンデンサー部４２、コンデンサーバランス部４３、セル電圧センシング部４４および充電制御部４５を含んで行われる。
【００３４】
単一のセルバッテリー４１は、１つのセル（Ｓｉｎｇｌｅ  Ｃｅｌｌ）を備え、前記１つのセルを介して充電し、充電された電源を出力する。本発明では、バッテリーを１つのセルのみを使用し、その代わりにコンデンサーを増やしてコンデンサーセルを多数とする。バッテリーを１つのセルのみ使用することにより、最近使用される携帯電話の充電インフラをそのまま使用できる。例えば、単一のセルバッテリー４１は、ＵＳＢ充電器、無線充電器、携帯電話の補助バッテリー、常用電源のうち、いずれか１つによって充電され得る。
【００３５】
また、バッテリーを１つのセルのみを使用することで、バッテリーの保護回路を具現しやすく、バッテリーセル間のバランスを調整する回路が必要ない。そして、複数のバッテリーセルを使用すれば、１つのセルのみ故障しても全体のバッテリーをすべて捨てなければならないが、１つのセルのみ使用することにより寿命が長い。また、バッテリーを１つのセルのみ使用することにより、バッテリーの重量が軽くなってＸ線撮影装置を画期的に軽くすることができる。
【００３６】
コンデンサー部４２は、単一のセルバッテリー４１と直列接続され、複数のコンデンサーセル４２１、４２２、４２３を含むが、複数のコンデンサーセル４２１、４２２、４２３は、単一のセルバッテリー４１を介して電源が充電される。小さな用量のバッテリーを使用してＸ線発生のときに大きいエネルギーを出力するため、コンデンサーを多数直列接続し、多数のコンデンサーに充電された電源を使用する。
【００３７】
コンデンサーバランス部４３は、コンデンサー部４２の複数のコンデンサーセル４２１、４２２、４２３のそれぞれに対応する複数のコンデンサーバランス回路４３１、４３２、４３３を含むが、コンデンサー部４２の充電中に過充電されたコンデンサーセルに相応するコンデンサーバランス回路がオン（Ｏｎ）になると、過充電されたコンデンサーセルのエネルギーが消耗されてコンデンサー部４２のセルバランシングが行われる。
【００３８】
複数のコンデンサーバランス回路４３１、４３２、４３３のそれぞれは、過充電されたコンデンサーセルのエネルギーを消耗する抵抗（図示せず）と、過充電されたコンデンサーセルのエネルギー消耗のために抵抗との接続をオン／オフ（Ｏｎ／Ｏｆｆ）するスイッチング素子（図示せず）を含んで行われる。スイッチング素子としては、ＦＥＴ（Ｆｉｅｌｄ  Ｅｆｆｅｃｔ  Ｔｒａｎｓｉｓｔｏｒ）が使用され得る。
【００３９】
セル電圧センシン部４４は、コンデンサー部４２の充電中にコンデンサー部４２の各コンデンサーセルの電圧を検出する。
【００４０】
充電制御部４５は、セル電圧センシン部４４を介してコンデンサーセルの過充電または未充電が検出されると、過充電または未充電のコンデンサーセルに相応するコンデンサーバランス回路をオン／オフ（Ｏｎ／Ｏｆｆ）制御して過充電されたコンデンサーセルのバランシングを制御する。
【００４１】
好ましくは、充電制御部４５は、単一のセルバッテリー４１を充電するとき、コンデンサー部４２をともに充電する。このように１つのバッテリーセルと多数のコンデンサーセルをともに充電することにより、バッテリーに保存されたエネルギーとコンデンサーに充電されたエネルギーを実際の使用時にともに使用すれば、使用時間を増やすことができる。より具体的には、充電制御部４５は、単一のセルバッテリー４１とコンデンサー部４２の充電時に、まず、単一のセルバッテリー４１を充電し、次にコンデンサー部４２を充電するが、単一のセルバッテリー４１の充電用量に基づいて設定されたしきい値の以上に単一のセルバッテリー４１が充電される場合は、単一のセルバッテリー４１とコンデンサー部４２の充電を同時に始めるように制御する。
【００４２】
より好ましくは、充電制御部４５は、コンデンサー部４２を備える各コンデンサーセル４２１、４２２、４２３の充電時にのみ各コンデンサーセル４２１、４２２、４２３にあたる各コンデンサーバランス回路４３１、４３２、４３３をオン制御して各コンデンサーセル４２１、４２２、４２３との間のバランスを維持し、各コンデンサーセル４２１、４２２、４２３との間のバランスが行われた場合は、各コンデンサーバランス回路４３１、４３２、４３３をオフ制御する。
【００４３】
各コンデンサーセル４２１、４２２、４２３との間のバランスが行われた場合は、各コンデンサーバランス回路４３１、４３２、４３３をオフ制御することにより、各コンデンサーセル４２１、４２２、４２３に充電された電源がコンデンサーバランス回路によって消耗されず、コンデンサーセルの放電を最小化する。したがって、本発明によるＸ線発生装置の電源供給装置は、コンデンサー部４２に電源が充電された状態で長い待機が可能であり、長い待機後にも、コンデンサー部４２の非常に少ない放電によってＸ線を発生するのに必要な定格電力を迅速に供給できる。
【００４４】
図５は、本発明による携帯型のＸ線発生装置の電源供給装置を備える携帯型のＸ線発生装置の一実施例の構成をブロック図として示したものである。
【００４５】
本発明による携帯型のＸ線発生装置の電源供給装置を備える携帯型のＸ線発生装置の一実施例は、電源供給装置５２、高電圧生成部５４およびＸ線発生部５６を含んで行われる。電源供給装置５２は、図４に示された本発明によるＸ線撮影装置の電源供給装置であって、１つのセルを備え、前記１つのセルを用いて充電し、充電された電源を出力する単一のセルバッテリー４１と、単一のセルバッテリー４１と直列接続され、複数のコンデンサーセル４２１、４２２、４２３を含むコンデンサー部４２と、コンデンサー部４２の複数のコンデンサーセルのそれぞれに対応する複数のコンデンサーバランス回路４３１、４３２、４３３を含み、コンデンサーバランス回路４３１、４３２、４３３は、スイッチング素子および抵抗を備え、コンデンサー部４２の充電中に過充電されたコンデンサーセルに対してスイッチング素子がオン（Ｏｎ）になると、抵抗を介して過充電されたコンデンサーセルのエネルギーが消耗されてコンデンサー部のバランシングを維持するコンデンサーバランス部４３と、コンデンサー部４２の充電中にコンデンサー部４２の各コンデンサーセル４２１、４２２、４２３の電圧を検出するセル電圧センシング部４４と、セル電圧センシング部４４を介してコンデンサーセルの過充電が検出されると、コンデンサーバランス部４３の相応するコンデンサーバランス回路のスイッチング素子をオン／オフ（Ｏｎ／Ｏｆｆ）制御して過充電されたコンデンサーセルのバランシングを制御する充電制御部４５と、を含む。
【００４６】
高電圧生成部５４は、電源供給装置５２の電源を用いて高電圧の直流電源を生成する。高電圧生成部５４は、直列接続された単一のセルバッテリー４１とコンデンサー部４２の直流電源を受け入れ、高電圧の直流電源を生成できる。
【００４７】
Ｘ線発生部５６は、前記生成された高電圧の直流電源を用いてＸ線を発生する。 
【００４８】
図６は、本発明による携帯型のＸ線発生装置の電源供給装置のバランス回路についての一具現例の回路図を示したものである。図７は、本発明による携帯型のＸ線発生装置の電源供給装置の充電制御部についての一具現例の回路図を示したものである。図８は、図６の単位回路の拡大図を示す回路図である。
【００４９】
本発明に係るＸ線撮影システムの電源供給装置は、各キャパシタセルの電力を充電する単位回路を含んでいる。図８に示すように、バランス回路４３１は、ＦＥＴとして動作する第１スイッチＳＷ１と過充電されたコンデンサーセル４２１のエネルギーを消費する抵抗Ｒ１を含んでいる。セル電圧センシング部４４１は、コンデンサーセル４２１の電圧を検出する抵抗Ｒ２と、セル電圧センシング部の動作をオン／オフする第２スイッチＳＷ２を含む。充電コントローラは、各単位回路の第２スイッチＳＷ２をオン/オフすることにより、各コンデンサーセル４２１の電力充電を監視して、第１スイッチＳＷ１をターンオン／オフすることにより、コンデンサーセル間のバランスを実行する。充電コントローラは、すべてのコンデンサーセル間の平衡が完了すると、第１スイッチＳＷ１及び第２スイッチＳＷ２をターンオフさせる。したがって、充電コントローラは、コンデンサーセルに充電された電力がバランス回路４３１またはセル電圧センシング部４４１によって消費されることを防止する。
【００５０】
本発明は、図面に示された実施例を参照に説明されるが、これは例示的であるものに過ぎず、本技術分野の通常の知識を有する者であれば、これから様々な変形および均等な他の実施例が可能であることを理解するであろう。したがって、本発明の真の技術的な保護の範囲は、添付された登録請求の範囲の技術的思想によって定められるべきである。 
【符号の説明】
【００５１】
３０：電源供給装置
３１０：バッテリー部
３１２、３１４、３１６：バッテリーセル
３２０：バッテリーセルバランス回路
３３０：コンデンサー
３２：高電圧発生部
３４：Ｘ線チューブ
４１：単一のセル（Ｓｉｎｇｌｅ  Ｃｅｌｌ）バッテリー
４２：コンデンサー部
４２１、４２２、４２３：コンデンサーセル
４３：コンデンサーバランス部
４３１、４３２、４３３：バランス回路
４４：セル電圧センシング部
４５：充電制御部
４６：高電圧生成部
５２：電源供給装置
５４：高電圧生成部
５６：Ｘ線発生部
【図１】
2020004721.tif 000003
【図２】
2020004721.tif 000004
【図３】
2020004721.tif 000005
【図４】
2020004721.tif 000006
【図５】
2020004721.tif 000007
【図６】
2020004721.tif 000008
【図７】
2020004721.tif 000009